(57)【要約】【課題】コストの上昇及び車両重量の増大を抑制し、且つ２つの断熱室の温度を所望の温度に調整する。【解決手段】冷却・加温装置１０は、エバポレータ１３と、コンデンサ１６と、コンプレッサ２２と、エキスパンションバルブ２４と、仕切壁４に設けられる第１連通路２５と、加温室１２側の外壁３に設けられる第２連通路２６と、第１連通路２５を開閉可能な第１弁２７と、第２連通路２６を開閉可能な第２弁２８とを備える。第１連通路２５は、冷凍室１１と加温室１２とを連通する。第２連通路２６は、架装２の外部空間５と加温室１２とを連通する。第１連通路２５には、第１連通路２５を開閉可能な第１弁２７が設けられ、第２連通路２６には、第２連通路２６を開閉可能な第２弁２８が設けられる。【選択図】図１
2018080882.tif 000002
【特許請求の範囲】
【請求項１】
２つの断熱室の一方の低温側の断熱室を冷却し、他方の高温側の断熱室を加温する冷却・加温装置であって、
前記低温側の断熱室に配置され、冷媒を蒸発させる蒸発器と、
前記高温側の断熱室に配置され、冷媒を凝縮する凝縮器と、
前記蒸発器からの冷媒を前記凝縮器へ案内する第１流路に設けられ、前記蒸発器からの冷媒を加圧する圧縮機と、
前記凝縮器からの冷媒を前記蒸発器へ案内する第２流路に設けられ、前記凝縮器からの冷媒を膨張する膨張弁と、
前記２つの断熱室を互いに連通して、前記２つの断熱室の間で空気の流通を許容する第１連通路と、
前記２つの断熱室の外部空間と前記高温側の断熱室とを連通して、前記外部空間と前記高温側の断熱室との間で空気の流通を許容する第２連通路と、
前記第１連通路を開閉可能な第１開閉手段と、
前記第２連通路を開閉可能な第２開閉手段と、を備えた
ことを特徴とする冷却・加温装置。
【請求項２】
請求項１に記載の冷却・加温装置であって、
前記第１連通路から前記高温側の断熱室へ開口する第１開口と、
前記第２連通路から前記高温側の断熱室へ開口する第２開口と、
前記第１開口に接続される第１ダクト開口と、前記第２開口に接続される第２ダクト開口と、ダクト内空間と前記高温側の断熱室のダクト外空間とを連通する第３ダクト開口と、前記凝縮器の吸込面側へ接続される第４ダクト開口とを有し、前記第４ダクト開口から前記凝縮器の前記吸込面へ空気を供給するダクトと、
前記第３ダクト開口を開閉可能な第３開閉手段と、を備えた
ことを特徴とする冷却・加温装置。
【発明の詳細な説明】
【技術分野】
【０００１】
本発明は、一方の断熱室を冷却し、他方の断熱室を加温する冷却・加温装置に関する。
【背景技術】
【０００２】
特許文献１には、車両の冷凍・加温装置が記載されている。この冷凍車では、冷凍室内にエバポレータを設け、加温室内に第１コンデンサを設け、加温室外に第２コンデンサを設けることにより、冷凍室を冷凍・保冷し、且つ加温室を加温・保温している。
【先行技術文献】
【特許文献】
【０００３】
【特許文献１】特開昭６２−４６１７９号公報
【発明の概要】
【発明が解決しようとする課題】
【０００４】
しかし、上記特許文献１に記載の冷凍・加温装置では、冷凍室及び加温室（２つの断熱室）の温度を所望の温度に調整するために、１つのエバポレータに対し、２つのコンデンサ（第１コンデンサ及び第２コンデンサ）を必要とするので、その分だけコストが増大し、車両重量が増大する可能性がある。
【０００５】
そこで、本発明は、コストの上昇及び車両重量の増大を抑制し、且つ２つの断熱室の温度を所望の温度に調整することが可能な冷却・加温装置の提供を目的とする。
【課題を解決するための手段】
【０００６】
上記課題を解決するため、本発明は、２つの断熱室の一方の低温側の断熱室を冷却し、他方の高温側の断熱室を加温する冷却・加温装置であって、蒸発器と凝縮器と圧縮機と膨張弁と第１連通路と第２連通路と第１開閉手段と第２開閉手段とを備える。蒸発器は、低温側の断熱室に配置され、冷媒を蒸発させる。凝縮器は、高温側の断熱室に配置され、冷媒を凝縮する。圧縮機は、蒸発器からの冷媒を凝縮器へ案内する第１流路に設けられ、蒸発器からの冷媒を加圧する。膨張弁は、凝縮器からの冷媒を蒸発器へ案内する第２流路に設けられ、凝縮器からの冷媒を膨張する。第１連通路は、２つの断熱室を互いに連通して、２つの断熱室の間で空気の流通を許容する。第２連通路は、２つの断熱室の外部空間と高温側の断熱室とを連通して、外部空間と高温側の断熱室との間で空気の流通を許容する。第１開閉手段は、第１連通路を開閉可能である。第２開閉手段は、第２連通路を開閉可能である。
【０００７】
上記構成では、蒸発器が、低温側の断熱室に配置される。冷媒が蒸発する際には、周りから熱を奪うので、低温側の断熱室を冷却して冷却することができる。
【０００８】
また、凝縮器が、高温側の断熱室に配置される。このため、凝縮器内で凝縮する冷媒からの熱が高温側の断熱室に放出されるので、高温側の断熱室を加温することができる。
【０００９】
また、２つの断熱室を互いに連通する第１連通路を開閉可能な第１開閉手段と、２つの断熱室の外部空間と高温側の断熱室とを連通する第２連通路を開閉可能な第２開閉手段とを備える。このため、第１連通路の開閉及び第２連通路の開閉の組み合わせにより、凝縮器を通過させる空気の温度を調節することができ、これにより２つの断熱室の所望の温度調整が可能となる。
【００１０】
例えば、低温側の断熱室の冷却が必要な場合には、第１連通路を開状態にし、第２連通路を閉状態にする（以下、冷却強化状態という）。これにより、低温側の断熱室側の比較的低温の空気を凝縮器に通過させることができるので、高温側の断熱室側の空気や外部空間の空気を通過させる場合に比べて冷媒の温度が低くなり、低温側の断熱室の冷却性能を強化することができる。また、高温側の断熱室の加温が必要な場合には、第１連通路を閉状態にし、第２連通路を閉状態にする（以下、加温強化状態という）。これにより、高温側の断熱室側の比較的高温の空気が循環するように凝縮器を通過するので、低温側の断熱室側の空気や外部空間の空気を通過させる場合に比べて高温側の断熱室の加温性能を強化することができる。また、２つの断熱室が所望の温度になっている場合などには、第１連通路を閉状態にし、第２連通路を開状態にする（以下、バランス状態という）。これにより、低温側の断熱室よりも高く、且つ高温側の断熱室よりも低い温度の外部空間の空気を凝縮器に通過させることができるので、加温強化状態に比べて低温側の断熱室側の温度上昇を抑えることができるとともに、冷却強化状態に比べて高温側の断熱室側の温度低下を抑えることができる。
【００１１】
また、２つの断熱室の室外に凝縮器を必要としないので、その分だけコストの上昇、及び車両重量の増大を抑制することができる。
【００１２】
なお、第１開閉手段及び第２開閉手段の開閉は、作業者がボタン操作等によって行ってもよいし、或いは、コントローラ等を設けて該コントローラが制御してもよい。
【００１３】
また、上記冷却・加温装置は、第１開口と第２開口とダクトと第３開閉手段とを備えてもよい。第１開口は、第１連通路から高温側の断熱室へ開口する。第２開口は、第２連通路から高温側の断熱室へ開口する。ダクトは、第１開口に接続される第１ダクト開口と、第２開口に接続される第２ダクト開口と、ダクト内空間と高温側の断熱室のダクト外空間とを連通する第３ダクト開口と、凝縮器の吸込面側へ接続される第４ダクト開口とを有し、第４ダクト開口から凝縮器の吸込面へ空気を供給する。第３開閉手段は、第３ダクト開口を開閉可能である。
【００１４】
上記構成では、第４ダクト開口から凝縮器の吸込面へ空気を供給するダクトを備える。このため、凝縮器の吸込面へ案内される空気とダクト外の空気とをダクトによって確実に仕切ることができるので、２つの断熱室の温度調整を効率的に行うことができる。
【００１５】
また、ダクトは、第１ダクト開口が第１開口に接続され、第２ダクト開口が第２開口に接続され、第３ダクト開口がダクト内空間と高温側の断熱室のダクト外空間とを連通する。また、第３ダクト開口を開閉可能な第３開閉手段を備える。従って、第１連通路の開閉、第２連通路の開閉、及び第３ダクト開口の開閉の組み合わせにより、凝縮器を通過させる空気の温度を調節することができ、これにより２つの断熱室の所望の温度調整が可能となる。
【００１６】
例えば、上記冷却強化状態のときに第３ダクト開口を閉状態にする。これにより、高温側の断熱室のダクト外空間の空気を凝縮器に通過させることなく、低温側の断熱室側の比較的低温の空気を凝縮器に通過させることができるので、その分だけ凝縮器を通過する空気の温度上昇を抑えることができ、低温側の断熱室の冷却性能をさらに強化することができる。
【００１７】
また、上記バランス状態のときに第３ダクト開口を閉状態にする。これにより、高温側の断熱室のダクト外空間の空気を凝縮器に通過させることなく、低温側の断熱室よりも高く、且つ高温側の断熱室よりも低い温度の外部空間の空気を凝縮器に通過させることができるので、加温強化状態に比べて低温側の断熱室側の温度上昇を抑えることができるとともに、冷却強化状態に比べて高温側の断熱室側の温度低下を抑えることができる。
【００１８】
なお、第３開閉手段の開閉は、第１開閉手段及び第２開閉手段と同様に、作業者がボタン操作等によって行ってもよいし、或いは、コントローラ等を設けて該コントローラが制御してもよい。
【発明の効果】
【００１９】
本発明によれば、コストの上昇及び車両重量の増大を抑制し、且つ２つの断熱室の温度を所望の温度に調整することができる。
【図面の簡単な説明】
【００２０】
【図１】本発明の第１実施形態に係る冷却・加温装置を適用した車両の概略図である。
【図２】冷却・加温装置の冷媒の流路の説明図である。
【図３】第１実施形態に係る冷却・加温装置のブロック図である。
【図４】第１実施形態に係る冷却・加温装置のフローチャートである。
【図５】本発明の第２実施形態に係る冷却・加温装置を適用した車両の概略図である。
【図６】第２実施形態に係る冷却・加温装置のブロック図である。
【発明を実施するための形態】
【００２１】
以下、本発明の第１実施形態を図面に基づいて説明する。
【００２２】
図１に示すように、本実施形態に係る冷却・加温装置１０は、内部に２つの断熱室１１，１２を有する箱型の架装２を搭載した車両１に適用される。架装２は、複数の外壁３によって箱型に形成され、その内部が仕切壁４によって２つの断熱室１１，１２に仕切られている。２つの断熱室１１，１２のうち、一方の断熱室１１は、例えば、冷凍食品等を冷凍状態で運搬可能にする低温側の断熱室１１（以下、冷凍室１１という。）であり、他方の断熱室１２は、例えば、食品等を温かい状態で運搬可能にする高温側の断熱室１２（以下、加温室１２という。）である。
【００２３】
図１及び図２に示すように、冷却・加温装置１０は、エバポレータ（蒸発器）１３と、コンデンサ（凝縮器）１６と、コンプレッサ（圧縮機）２２と、エキスパンションバルブ（膨張弁）２４と、仕切壁４に設けられる第１連通路２５と、加温室１２側の外壁３に設けられる第２連通路２６と、第１連通路２５を開閉可能な第１弁（第１開閉手段）２７と、第２連通路２６を開閉可能な第２弁（第２開閉手段）２８とを備える。
【００２４】
第１連通路２５は、冷凍室１１と加温室１２とを連通する。第２連通路２６は、架装２の外部空間（２つの断熱室１１，１２の外部空間）５と加温室１２とを連通する。また、加温室１２側の外壁３には、第２連通路２６の他に、架装２の外部空間５と加温室１２とを連通する換気路１９が形成される。第１連通路２５には、第１連通路２５を開閉可能な第１弁２７が設けられ、第２連通路２６には、第２連通路２６を開閉可能な第２弁２８が設けられ、換気路１９には、換気路１９を開閉可能な換気弁２９が設けられる。
【００２５】
第１弁２７、第２弁２８、及び換気弁２９は、複数の羽を有するシャッター状の弁であって、アクチュエータやモータ等の作動手段（図示省略）をそれぞれ備える。各弁２７，２８，２９の作動手段は、後述するコントローラ３３（図３参照）に制御され、これにより、各弁２７，２８，２９が開閉する。なお、第１弁２７、第２弁２８、及び換気弁２９は、シャッター状の弁に限定されず、第１弁２７、第２弁２８、及び換気弁２９には、様々な弁を適用することができる。
【００２６】
エバポレータ１３には、エバポレータ１３用のファン１４が設けられる。エバポレータ１３用のファン１４は、エバポレータ１３の吸込面１３ａ側に配置され、エバポレータ１３の吸込面１３ａから吹出面１３ｂへ向かう空気の流れを生成する。また、コンデンサ１６には、コンデンサ１６用のファン１７が設けられる。コンデンサ１６用のファン１７は、コンデンサ１６の吹出面１６ｂ側に配置され、コンデンサ１６の吸込面１６ａから吹出面１６ｂへ向かう空気の流れを生成する。エバポレータ１３とコンデンサ１６とは、エバポレータ１３からの冷媒をコンデンサ１６側へ案内する第１流路２０と、コンデンサ１６からの冷媒をエバポレータ１３側へ案内する第２流路２１とによって接続され、エバポレータ１３とコンデンサ１６との間で冷媒が循環している。第１流路２０には、エバポレータ１３からの冷媒を圧縮するコンプレッサ２２が設けられ、第２流路２１には、冷媒を一時的に貯える上流側のレシーバ２３と、冷媒をエバポレータ１３内へ噴射する下流側のエキスパンションバルブ２４とが設けられる。エキスパンションバルブ２４から噴射された低圧低温の冷媒は、エバポレータ１３で蒸発してエバポレータ１３の周囲の気化熱を奪い、エバポレータ１３が冷却される。冷却されたエバポレータ１３に、エバポレータ１３用のファン１４が空気を通過させて、エバポレータ１３を通過した低温の空気が冷凍室１１を冷却する。エバポレータ１３からの低圧低温の気体冷媒は、コンプレッサ２２に圧縮されて高温高圧の気体冷媒となり、コンデンサ１６へ流入する。コンデンサ１６へ流入した高温高圧の気体冷媒は、コンデンサ１６用のファン１７によるコンデンサ１６を通過する空気との間で熱交換が行われ、凝縮されて高温高圧の液体冷媒となる。コンデンサ１６を通過した空気は、加温室１２を加温する。
【００２７】
図１に示すように、冷凍室１１には、エバポレータ１３と、エバポレータ１３用のファン１４と、冷凍室１１の空気の温度（以下、冷凍室温という。）を計測する冷凍室温度センサ１５とが設けられる。仕切壁４には、第１連通路２５から冷凍室１１側へ開口する冷凍室側開口３０が形成され、エバポレータ１３の吹出面１３ｂは、冷凍室側開口３０から離間して冷凍室側開口３０と対向する位置に配置される。冷凍室温度センサ１５は、冷凍室温を逐次計測し、計測した冷凍室温の情報を後述するコントローラ３３（図３参照）へ出力する。
【００２８】
加温室１２には、コンデンサ１６と、コンデンサ１６用のファン１７と、加温室１２の空気の温度（以下、加温室温という。）を計測する加温室温度センサ１８とが設けられる。仕切壁４には、第１連通路２５から加温室１２側へ開口する加温室側第１開口３１が形成され、コンデンサ１６の吸込面１６ａは、加温室側第１開口３１から離間して加温室側第１開口３１と対向する位置に配置される。加温室１２側の外壁３には、第２連通路２６から加温室１２側へ開口する加温室側第２開口３２が形成される。加温室側第２開口３２は、コンデンサ１６の吸込面１６ａと加温室側第１開口３１との間の空間６に向かって開口する。加温室温度センサ１８は、加温室温を逐次計測し、計測した加温室温の情報を後述するコントローラ３３（図３参照）へ出力する。
【００２９】
図３に示すように、車両１は、第１弁２７と第２弁２８と換気弁２９とを制御するコントローラ３３を備える。
【００３０】
コントローラ３３は、ＣＰＵ（Ｃｅｎｔｒａｌ  Ｐｒｏｃｅｓｓｉｎｇ  Ｕｎｉｔ）３４や記憶部３５を有する。記憶部３５は、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記録媒体によって構成される。記憶部３５には、ＣＰＵ３４によって読み出されるプログラムや種々のデータ（冷凍室温の目標室温ｋ、加温室温の目標室温ｌ、及び加温室温の上限室温ｍを含む）が予め記憶される。また、記憶部３５には、冷凍室温度センサ１５が計測した冷凍室温の情報、加温室温度センサ１８が計測した加温室温の情報、及び各種データなどが読み書き自在に記憶されるデータ記憶領域が予め設定されている。記憶部３５は、上記データ記憶領域以外にも、ＣＰＵ３４の演算結果の一時記憶領域等として機能する。なお、記憶部３５に予め記憶される冷凍室温の目標室温ｋ、加温室温の目標室温ｌ、及び加温室温の上限室温ｍは、設定変更可能な値であり、車両１の運転者等が予め設定する。
【００３１】
ＣＰＵ３４は、記憶部３５に記憶されたプログラムを実行することによって、第１弁２７と第２弁２８と換気弁２９とを制御する制御手段として機能する。具体的には、ＣＰＵ３４は、冷凍室温度センサ１５が計測した冷凍室温、及び加温室温度センサ１８が計測した加温室温に基づいて、第１弁２７と第２弁２８と換気弁２９とを制御し、各弁２７，２８，２９の開閉の組み合わせによって、第１弁２７、第２弁２８、及び換気弁２９の状態（以下、各弁２７，２８，２９の状態という。）を、冷却強化状態と、加温強化状態と、バランス状態と、換気状態とに切り替える。なお、ＣＰＵ３４の機能の一部を抽出して他の情報処理装置に設けてもよい。
【００３２】
冷却強化状態は、第１弁２７を開状態に、第２弁２８を閉状態に、換気弁２９を閉状態にした、各弁２７，２８，２９の開閉の組み合わせである。冷却強化状態では、第１弁２７が開状態であり、第１連通路２５が開放されているので、冷凍室１１のエバポレータ１３の吹出面１３ｂから吹き出す冷たい空気の一部が第１連通路２５を流通して、仕切壁４の加温室側第１開口３１から加温室１２に流入する。第２弁２８が閉状態であり、換気弁２９が閉状態であるので、加温室側第１開口３１から加温室１２に流入した冷たい空気は、外部空間５の空気と混ざることなく、コンデンサ１６の吸込面１６ａからコンデンサ１６を通過する。
【００３３】
加温強化状態は、第１弁２７を閉状態に、第２弁２８を閉状態に、換気弁２９を閉状態にした、各弁２７，２８，２９の開閉の組み合わせである。加温強化状態では、第１弁２７が閉状態であり、第１連通路２５が閉止されているので、冷凍室１１のエバポレータ１３の吹出面１３ｂから吹き出す冷たい空気は、加温室１２に流入しない。また、第２弁２８が閉状態であり、換気弁２９が閉状態であるので、加温室１２の比較的高温の空気がコンデンサ１６を循環する。
【００３４】
バランス状態は、第１弁２７を閉状態に、第２弁２８を開状態に、換気弁２９を閉状態にした、各弁２７，２８，２９の開閉の組み合わせである。バランス状態では、第１弁２７が閉状態であり、第１連通路２５が閉止されているので、冷凍室１１のエバポレータ１３の吹出面１３ｂから吹き出す冷たい空気は、加温室１２に流入しない。また、第２弁２８が開状態であり、第２連通路２６が開放されているので、冷凍室１１の空気よりも高温であり、且つ加温室１２の空気よりも低温の外部空間５の空気が第２連通路２６を流通して、外壁３の加温室側第２開口３２から加温室１２に流入する。加温室側第２開口３２から加温室１２に流入した空気は、コンデンサ１６の吸込面１６ａからコンデンサ１６を通過する。
【００３５】
換気状態は、第１弁２７を閉状態に、第２弁２８を開状態に、換気弁２９を開状態にした、各弁２７，２８，２９の開閉の組み合わせである。すなわち、換気状態は、バランス状態から換気弁２９を開状態に変更した状態である。換気状態では、バランス状態と同様に、外部空間５の空気が第２連通路２６を流通して、外壁３の加温室側第２開口３２から加温室１２に流入する。また、換気状態では、換気弁２９が開状態であり、換気路１９が開放されているので、加温室１２の空気が換気路１９から外部空間５へ流出する。
【００３６】
次に、コントローラ３３のＣＰＵ３４が実行する処理について、図４のフローチャートに基づき説明する。本処理は、原則として加温室１２の加温よりも、冷凍室１１の冷却を優先する処理である。ＣＰＵ３４は、冷却・加温装置１０の始動によって本処理を開始し、所定時間毎に繰り返して本処理を実行し、冷却・加温装置１０の停止によって本処理を終了する。
【００３７】
本処理を開始すると、ＣＰＵ３４は、冷凍室温度センサ１５が計測した冷凍室温と目標室温ｋとを比較する（ステップＳ１）。冷凍室温が目標室温ｋよりも高い場合（ステップＳ１：ＹＥＳ）、ＣＰＵ３４は、各弁２７，２８，２９の状態を、冷却強化状態にする（ステップＳ２）。すなわち、コントローラ３３は、冷凍室１１の冷却が必要な場合には、各弁２７，２８，２９の状態を、冷却強化状態にする。
【００３８】
一方、冷凍室温が目標室温ｋよりも低い場合（ステップＳ１：ＮＯ）、ＣＰＵ３４は、加温室温度センサ１８が計測した加温室温と目標室温ｌとを比較する（ステップＳ３）。加温室温が目標室温ｌよりも低い場合（ステップＳ３：ＹＥＳ）、ＣＰＵ３４は、各弁２７，２８，２９の状態を、加温強化状態にする（ステップＳ４）。すなわち、コントローラ３３は、冷凍室１１の温度が目標室温ｋになって冷却が必要なくなり、且つ加温室１２の加温が必要な場合には、各弁２７，２８，２９の状態を加温強化状態にする。
【００３９】
一方、加温室温が目標室温ｌよりも高い場合（ステップＳ３：ＮＯ）、ＣＰＵ３４は、加温室温と上限室温ｍとを比較する（ステップＳ５）。加温室温が上限室温ｍよりも低い場合（ステップＳ５：ＹＥＳ）、ＣＰＵ３４は、各弁２７，２８，２９の状態を、バランス状態にする（ステップＳ６）。すなわち、コントローラ３３は、冷凍室１１の冷却が必要なく、且つ加温室１２の加温が必要ない場合には、各弁２７，２８，２９の状態を、バランス状態にする。
【００４０】
一方、加温室温が上限室温ｍよりも高い場合（ステップＳ５：ＮＯ）、ＣＰＵ３４は、第１弁２７、第２弁２８、及び換気弁２９の状態を、換気状態にする（ステップＳ７）。すなわち、コントローラ３３は、加温室１２の温度が上限室温ｍを超えた場合、各弁２７，２８，２９の状態を換気状態にする。
【００４１】
上記のように構成された冷却・加温装置１０では、冷凍室１１に配置されるエバポレータ１３によって、冷凍室１１が冷却される。また、加温室１２に配置されるコンデンサ１６によって、加温室１２が加温される。
【００４２】
また、冷却強化状態では、冷凍室１１から加温室１２に流入した冷たい空気がコンデンサ１６を通過する。このため、加温室１２側の温かい空気や外部空間５の空気を通過させる場合に比べて冷媒の温度を低くすることができ、冷凍室１１の冷却性能を強化することができる。
【００４３】
また、加温強化状態では、加温室１２の比較的高温の空気がコンデンサ１６を循環する。このため、冷凍室１１側の冷たい空気や外部空間５の空気を通過させる場合に比べてコンデンサ１６の吹出面１６ｂから吹き出す空気の温度を高くすることができるので、加温室１２の加温性能を強化することができる。
【００４４】
また、バランス状態では、冷凍室１１の空気よりも高温であり、且つ加温室１２の空気よりも低温の外部空間５の空気が、コンデンサ１６を通過する。このため、冷却強化状態に比べて加温室１２の温度低下を抑えることができるとともに、加温強化状態に比べて冷凍室１１の温度上昇を抑えることができる。
【００４５】
このように、第１弁２７の開閉（第１連通路２５の開閉）及び第２弁２８の開閉（第２連通路２６の開閉）の組み合わせにより、コンデンサ１６を通過させる空気の温度を調節することができ、これにより２つの断熱室１１，１２を所望の温度に調整することができる。
【００４６】
また、２つの断熱室１１，１２の室外にコンデンサを必要としないので、その分だけコストの上昇、及び車両重量の増大を抑制することができる。
【００４７】
従って、本実施形態によれば、コストの上昇及び車両重量の増大を抑制し、且つ２つの断熱室１１，１２の温度を所望の温度に調整することができる。
【００４８】
また、換気状態では、加温室１２の空気が換気路１９から外部空間５へ流出するので、加温室１２の温度を、所望の温度まで低下させることができる。このように、冷却・加温装置１０を停止させることなく、加温室１２の温度を上限温度ｍ以下に抑えることができるので、冷凍室１１を冷却しつつ加温室１２の温度上昇を抑えることができる。
【００４９】
次に、本発明の第２実施形態を図面に基づいて説明する。なお、本実施形態に係る冷却・加温装置５０は、上記第１実施形態に係る冷却・加温装置１０にダクト５１を加えたものであり、上記第１実施形態と同様の構成については、同一の符号を付してその説明を省略する。
【００５０】
図５に示すように、本実施形態に係る冷却・加温装置５０は、加温室１２のうち、コンデンサ１６の吸込面１６ａと加温室側第１開口３１との間の空間６に配置されるダクト５１と第３弁（第３開閉手段）５２とを備える。
【００５１】
ダクト５１は、第１ダクト開口５３、第２ダクト開口５４、第３ダクト開口５５、及び第４ダクト開口５６を有し、複数の板体によってダクト内空間５８を区画する。ダクト５１の複数の板体は、ダクト内空間５８とダクト５１外のダクト外空間５９とを仕切る。第１ダクト開口５３は、加温室側第１開口（第１開口）３１に接続される。第２ダクト開口５４は、加温室側第２開口（第２開口）３２に接続される。第３ダクト開口５５は、ダクト内空間５８と、加温室１２のダクト５１外のダクト外空間５９とを連通する。第４ダクト開口５６は、コンデンサ１６の吸込面１６ａ側へ接続される。ダクト内空間５８は、第１ダクト開口５３、第２ダクト開口５４、又は第３ダクト開口５５からコンデンサ１６の吸込面１６ａへの空気の流路となる。すなわち、ダクト５１は、第１ダクト開口５３、第２ダクト開口５４、又は第３ダクト開口５５からコンデンサ１６の吸込面１６ａへ空気を案内して、第４ダクト開口５６からコンデンサ１６の吸込面１６ａへ空気を供給する。
【００５２】
第３弁５２は、複数の羽を有するシャッター状の弁であって、アクチュエータやモータ等の作動手段（図示省略）を備え、ダクト５１の第３ダクト開口５５を開閉可能に、ダクト５１に固定的に設けられる。第３弁５２の作動手段は、コントローラ３３に制御され、これにより、第３弁５２が開閉する。なお、第３弁５２は、シャッター状の弁に限定されず、様々な弁を適用できる。
【００５３】
図６に示すように、コントローラ３３は、第１弁２７と第２弁２８と換気弁２９とに加えて、第３弁５２を制御する。具体的には、ＣＰＵ３４は、冷凍室温度センサ１５が計測した冷凍室温、及び加温室温度センサ１８が計測した加温室温に基づいて、第１弁２７と第２弁２８と第３弁５２と換気弁２９とを制御し、各弁２７，２８，５２，２９の開閉の組み合わせによって、第１弁２７、第２弁２８、第３弁５２、及び換気弁２９の状態を、冷却強化状態と、加温強化状態と、バランス状態と、換気状態とに切り替える。なお、各状態（冷却強化状態、加温強化状態、バランス状態、及び換気状態）における第１弁２７、第２弁２８、及び換気弁２９の状態は、上記第１実施形態と同様であるので、以下では、第３弁５２の状態について説明し、第１弁２７、第２弁２８、及び換気弁２９の状態の説明を省略する。また、本実施形態に係るコントローラ３３が行う処理は、上記第１実施形態のフローチャート（図４参照）と同様の処理であるので、その詳細な説明を省略する。
【００５４】
冷却強化状態は、第３弁５２を閉状態にした、各弁２７，２８，５２，２９の開閉の組み合わせである。冷却強化状態では、第３弁５２が閉状態であり、第３ダクト開口５５が閉止されているので、加温室側第１開口３１から加温室１２に流入した冷たい空気は、コンデンサ１６を通過し、加温室１２のダクト外空間５９の空気は、コンデンサ１６を通過しない。すなわち、加温室側第１開口３１から加温室１２に流入した冷たい空気は、ダクト外空間５９の空気と混ざることなく、コンデンサ１６の吸込面１６ａからコンデンサ１６を通過する。
【００５５】
加温強化状態は、第３弁５２を開状態にした、各弁２７，２８，５２，２９の開閉の組み合わせである。加温強化状態では、第３弁５２が開状態であり、第３ダクト開口５５が開放されているので、加温室１２の比較的高温の空気がコンデンサ１６を循環する。
【００５６】
バランス状態は、第３弁５２を閉状態にした、各弁２７，２８，５２，２９の開閉の組み合わせである。バランス状態では、第３弁５２が閉状態であり、第３ダクト開口５５が閉止されているので、加温室側第２開口３２から加温室１２に流入した外部空間５からの空気は、コンデンサ１６を通過し、加温室１２のダクト外空間５９の空気は、コンデンサ１６を通過しない。
【００５７】
換気状態は、第３弁５２を閉状態にした、各弁２７，２８，２９の開閉の組み合わせである。換気状態では、加温室１２の空気が換気路１９から外部空間５へ流出する。
【００５８】
上記のように構成された冷却・加温装置５０では、第４ダクト開口５６からコンデンサ１６の吸込面１６ａへ空気を供給するダクト５１を備える。このため、コンデンサ１６の吸込面１６ａへ案内される空気とダクト５１外の空気（外部空間５の空気や加温室１２のダクト外空間５９の空気）とをダクト５１によって確実に仕切ることができるので、２つの断熱室１１，１２の温度調整を効率的に行うことができる。
【００５９】
冷却強化状態では、加温室側第１開口３１から加温室１２に流入した冷たい空気が、ダクト外空間５９の空気と混ざることなく、コンデンサ１６の吸込面１６ａからコンデンサ１６を通過するので、その分だけコンデンサ１６を通過する空気の温度上昇を抑えることができ、効率的に冷凍室１１の冷却性能をさらに強化することができる。
【００６０】
また、バランス状態では、加温室側第２開口３２から加温室１２に流入した外部空間５からの空気は、コンデンサ１６を通過し、加温室１２のダクト外空間５９の空気は、コンデンサ１６を通過しない。このように、加温室１２のダクト外空間５９の空気をコンデンサ１６に通過させることなく、冷凍室１１の冷凍室温よりも高く、且つ加温室１２の加温室温よりも低い温度の外部空間５の空気をコンデンサ１６に通過させることができるので、冷却強化状態に比べて加温室１２の温度低下を抑えることができるとともに、加温強化状態に比べて冷凍室１１の温度上昇を抑えることができる。
【００６１】
このように、第１弁２７の開閉（第１連通路２５の開閉）、第２弁２８の開閉（第２連通路２６の開閉）、及び第３弁５２の開閉（第３ダクト開口５５の開閉）の組み合わせにより、コンデンサ１６を通過させる空気の温度を調節することができ、２つの断熱室１１，１２を所望の温度に調整することができる。
【００６２】
従って、本実施形態によれば、コストの上昇及び車両重量の増大を抑制し、且つ２つの断熱室１１，１２の温度を所望の温度に調整することができる。
【００６３】
以上、本発明について、上記実施形態に基づいて説明を行ったが、本発明は上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【００６４】
例えば、上記第１実施形態、及び上記第２実施形態では、エバポレータ１３の吹出面１３ｂを、冷凍室側開口３０から離間して冷凍室側開口３０と対向する位置に配置したが、冷凍室１１の他の位置に配置してもよい。
【００６５】
また、上記第１実施形態、及び上記第２実施形態では、コンデンサ１６の吸込面１６ａを、加温室側第１開口３１から離間して加温室側第１開口３１と対向する位置に配置したが、これに限定されるものではなく、加温室１２の他の位置に配置してもよい。
【００６６】
また、上記第１実施形態、及び上記第２実施形態では、加温室側第２開口３２を、コンデンサ１６の吸込面１６ａと加温室側第１開口３１との間の空間６に向かって開口させたが、これに限定されるものではなく、加温室１２の他の位置に向かって開口させてもよい。
【００６７】
また、上記第１実施形態、及び上記第２実施形態では、加温室１２に換気路１９と換気弁２９とを設けたが、換気路１９と換気弁２９とを設けなくてもよい。
【００６８】
また、上記第１実施形態、及び上記第２実施形態では、複数の外壁３によって箱型に形成された架装２の内部を、仕切壁４によって仕切ることにより、２つの断熱室１１，１２を設けたが、これに限定されるものではなく、例えば、内部に１つの断熱室を有する箱体を２つ設けることにより、２つの断熱室１１，１２を設けてもよい。この場合、２つの箱体の間に、冷凍室側開口３０と加温室側第１開口３１とを連結する外部ダクト等を設け、該外部ダクトが区画する第１連通路２５が２つの断熱室１１，１２を連通してもよい。
【００６９】
また、コントローラ３３のＣＰＵ３４が実行する処理は、上記フローチャート（図４参照）に沿った上記処理に限定されるものではない。例えば、加温室１２を使用せずに冷凍室１１の冷却のみを行う場合には、冷却強化状態にしてもよいし、冷凍室１１を使用せずに加温室１２の加温のみを行う場合には、加温強化状態にしてもよい。
【００７０】
また、上記第１実施形態、及び上記第２実施形態では、各弁２７，２８，５２，２９の開閉を、冷凍室温及び加温室温に基づいてコントローラ３３が制御したが、これに限定されるものではない。例えば、２つの断熱室１１，１２の温度設定や、各弁２７，２８，５２，２９の状態（上述した冷却強化状態、加温強化状態等）に応じたモード（冷却強化モードや加温強化モード等）の設定が可能な操作パネルを設け、作業者が操作パネルで選択したモードに応じて、コントローラ３３が各弁２７，２８，５２，２９の状態を切り替えてもよい。或いは、各弁２７，２８，５２，２９を開閉可能な操作ボタンを有する操作パネルを設け、作業者が操作ボタンを操作することによって作業者の所望のタイミングで各弁２７，２８，５２，２９を開閉してもよい。
【００７１】
また、上記第１実施形態、及び上記第２実施形態では、低温側の断熱室１１を冷凍室１１とし、高温側の断熱室１２を加温室１２としたが、これに限定されるものではなく、例えば、低温側の断熱室１１が冷蔵室１１であってもよいし、高温側の断熱室１２が保温室１２であってもよい。
【００７２】
また、上記第１実施形態、及び上記第２実施形態では、冷却・加温装置１０，５０を、車両１に適用したが、これに限定されるものではなく、少なくとも２つの断熱室（低温側の断熱室及び高温側の断熱室）を有するものに対して適用することができる。
【符号の説明】
【００７３】
５：外部空間
１０，５０：冷却・加温装置
１１：冷凍室（断熱室）
１２：加温室（断熱室）
１３：エバポレータ（蒸発器）
１６：コンデンサ（凝縮器）
２０：第１流路
２１：第２流路
２２：コンプレッサ（圧縮機）
２４：エキスパンションバルブ（膨張弁）
２５：第１連通路
２６：第２連通路
２７：第１弁（第１開閉手段）
２８：第２弁（第２開閉手段）
３１：加温室側第１開口（第１開口）
３２：加温室側第２開口（第２開口）
５１：ダクト
５２：第３弁（第３開閉手段）
５３：第１ダクト開口
５４：第２ダクト開口
５５：第３ダクト開口
５６：第４ダクト開口
５８：ダクト内空間
５９：ダクト外空間
【図１】
2018080882.tif 000003
【図２】
2018080882.tif 000004
【図３】
2018080882.tif 000005
【図４】
2018080882.tif 000006
【図５】
2018080882.tif 000007
【図６】
2018080882.tif 000008